(57)【要約】【課題】  錠剤、カプセル剤などの薬剤を収納したプレススルーパッケージにおいて膨らみ収納部を指圧した際、膨らみ収納部の倒れ、圧潰を容易にして蓋材の易開封性を向上させる。【解決手段】  プレススルーパッケージ１００は、錠剤４を収納する膨らみ収納部２０を所定間隔に複数備えたシート状成形体(本体)１０と,前記膨らみ収納部２０を封止する蓋材６とからなり、前記蓋材６を破壊して前記錠剤４を取り出す形式のパッケージであって、前記膨らみ収納部２０の形状を底面が開口した四角錐台状とした構成。【選択図】  図２
0003153313.tif 000002
【実用新案登録請求の範囲】
【請求項１】
錠剤を収納する膨らみ収納部を所定間隔に複数備えた本体と,前記膨らみ収納部を封止する蓋材とからなり、前記蓋材を破壊して前記錠剤を取り出す形式のパッケージであって、前記膨らみ収納部を底面が開口した角錐台状としたことを特徴とする錠剤用プレススルーパッケージ。
【請求項２】
開口した底面を矩形に代え、開口した円形としたことを特徴とする請求項1記載の錠剤用プレススルーパッケージ。
【請求項３】
頂部を平面に代え、球面の一部としたことを特徴とする請求項1〜２のいずれか１項に記載の錠剤用プレススルーパッケージ。
【考案の詳細な説明】
【技術分野】
【０００１】
本考案は、錠剤、カプセル剤などの薬剤を収納するプレススルーパッケージ（ＰＴＰ：ＰｒｅｓｓＴｈｒｏｕｇｈ Ｐａｃｋａｇｅ）の形状に関する。詳しくは、錠剤を収納した膨らみ収納部を指圧した際、膨らみ収納部の倒れ,または圧潰を容易にし、蓋材の易開封性を向上させたプレススルーパッケージに関する。
【背景技術】
【０００２】
従来の薬用プレススルーパッケージは図３、図４に示すごとく、厚さ３００μｍ程度の塩化ビニルシート等の剛性を有するシート状成形体（本体）と,厚さ２０μｍ程度のアルミニウム箔からなる蓋材、または厚さ数十μｍ程度のフィルムを多層にした積層樹脂フィルムの蓋材とからなる構成のものが広く用いられている。収納物（錠剤）の取り出しは膨らみ収納部を指圧して圧潰し、膨らみ収納部を介して収納物を押すことにより、収納物によって蓋材を押し破って開口させ取り出す方法が採用されている。
【０００３】
蓋材の易開封性を向上させたプレススルーパッケージとして例えば特開２００２−２２５９３０号公報により、シート状成形体に熱成形により形成され表面側に突出する多数の膨らみ部を備え、多数の各膨らみ部の内側の凹部に非収納物を入れた状態でシート状成形体裏面の凹部の開口部を閉じるように合成樹脂材料からなる積層フィルムを使用してこの積層フィルムをシート状成形体に対し小さな接合力で剥離可能に接合し、前記各凹部の開口部を囲む位置で積層フィルムの裏面側より積層フィルムを厚み方向に貫通するがシート状成形体を厚み方向に貫通しないように切り込みを形成してなることを特徴とする包装体が提案されている。
【特許文献１】特開２００２−２２５９３０号公報
【考案の開示】
【考案が解決しようとする課題】
【０００４】
しかし特許文献１におけるプレススルーパッケージは蓋材に切り込みを設けることにより蓋材の易開封性を向上させるもので、本体の膨らみ収納部に言及するものでない。
さらに、蓋材に切り込みを設ける工程が増えコスト高になるうえ、切り込み深さのバラツきにより防湿性が損なわれる恐れがあるという課題を有していた。
【０００５】
本考案は膨らみ収納部を親指の爪などで指圧した際、膨らみ収納部の変形と圧潰を容易にし、膨らみ収納部内の錠剤を介して蓋材を破壊することにより易開封性を向上させることを目的とする。また、親指と人差し指とで膨らみ収納部を挟持して錠剤を押し出せる様にすることを目的とする。
【課題を解決するための手段】
【０００６】
本考案にかかるプレススルーパッケージは、錠剤を収納する膨らみ収納部を所定間隔に複数備えた本体と,前記膨らみ収納部を封止する蓋材とからなり、前記蓋材を破壊して前記錠剤を取り出す形式のパッケージであって、前記膨らみ収納部の形状を底面が開口した角錐台状としたことを特徴としたもので、これにより膨らみ収納部の頂部を指圧した場合、従来のように円筒面に支承され,かつ球面の一部をなす頂部を真上から押圧スル構成に較べて頂部の変形、圧潰を容易にし錠剤を介して蓋材の易開封性を向上させられる。また、膨らみ収納部の角錐面を指圧した場合、従来の円筒面またはテーパの付いた円筒面に較べて角錐面の倒れを容易にする。さらに、親指と人差し指とで対向する角錐面を挟持して錠剤を容易に押し出せる。
【０００７】
さらに、本考案にかかるプレススルーパッケージは上記記載において、開口した底面を矩形に代え、開口した円形としたことを特徴としたもので、これにより本体と蓋剤との接合面積が矩形に較べて増える。また、膨らみ収納部周辺を熱圧着する押圧金型の窪み形状が円形となり、前記押圧金型の加工が容易となる。
【０００８】
さらに、本考案にかかるプレススルーパッケージは上記記載において、頂部を平面に代え、球面の一部としたことを特徴としたもので、これによりを膨らみ収納部の高さを低くできプレススルーパッケージを複数重ねても嵩ばらない。
【考案の効果】
【０００９】
上記構成により本考案のプレススルーパッケージは、膨らみ収納部の頂部を指圧した場合、従来のように円筒面に支承され,かつ球面の一部をなす頂部を真上から押圧スル構成に較べて頂部の変形、圧潰を容易にし錠剤を介して蓋材の易開封性を向上させられる。また、膨らみ収納部の角錐面のいずれか一つを指圧した場合、従来の円筒面またはテーパの付いた円筒面を押圧することに較べて角錐面の倒れを容易にする。さらに、親指と人差し指とで対向する角錐面を挟持して錠剤を容易に押し出せる。その結果、指の力の弱い子ども、お年寄りにも容易にプレススルーパッケージを開封できる。特に錠剤の直径が５mm程度と小さい場合に本考案が有効である。
【考案を実施するための最良の形態】
【００１０】
本考案にかかるプレススルーパッケージは上述の通りである。プレススルーパッケージを構成するシート状成形体(本体)は厚さ２００〜３００μｍ程度の剛性を有する透明な樹脂シートで構成するのが好ましい。透明樹脂シートとしては例えば、塩化ビニルシート、ポプロピレン(ＰＰ)、ポリエチレンテレフタレート(ＰＥＴ)、ポリエチレン(ＰＥ)等、任意の一般的樹脂部材を用いればよい。
錠剤を収納する膨らみ収納部は前記本体樹脂を真空成型または圧空成型などして配設するのが好ましい。膨らみ収納部の樹脂厚さは７０〜１００μｍ程度とするのが好ましい。
【００１１】
蓋材は２０μｍ程度のアルミニウム箔、１０μｍ程度のアルミニウム箔をラミネートした厚さ１００μｍ程度の紙、厚さ４０〜７０μｍ程度の合成樹脂フィルム、異なる種類の樹脂フィルム例えば１２μｍ程度のＰＥＴフィルムと３０μｍ程度のＰＥフィルムを積層した樹脂シート、アルミニウムを１０００Å程度蒸着した樹脂フィルムたとえば２０μｍ程度のＰＥＴフィルム等から選んだ一つとするのが好ましい。
【００１２】
角錐台形状は三角錐台、四角錐台など任意の形状としてよいことは自明である。なお、角錐面の傾斜角度θも任意としてよいが40度〜６0度の範囲に設定するのが好ましい。
【実施例】
【００１３】
以下、本考案のプレススルーパッケージを図面とともに説明する。図１は本考案の一実施例におけるプレススルーパッケージの平面図、図２は図１を切断線Ｓ1〜Ｓ1で切断した要部拡大断面図である。
【００１４】
図1、図２に示すプレススルーパッケージ１００は、錠剤４を収納する膨らみ収納部２０を所定間隔に複数備えたシート状成形体(本体)１０と,前記膨らみ収納部２０を封止する蓋材６とからなり、前記蓋材６を破壊して前記錠剤４を取り出す形式のパッケージであって、前記膨らみ収納部２０の形状を底面が開口した四角錐台状としたことを特徴とする。収納する錠剤４の直径が５mm、厚さ寸法が３．５mmのとき、四角錐台の開口した底面の一辺寸法を約６mm、四角錐台の高さを約４．５mmとした。前記四角錐台を構成する角錐面２１の傾斜角度を約６０度とした。
【００１５】
シート状成形体１０は透明な合成樹脂材料たとえばポリプロピレンを材料として作られている。真空成形により表面側に厚み９０μｍ程度の膨らみ収納部２０が２行５列に１０個所定間隔毎に形成されている。膨らみ収納部２０以外のフラットな部分は厚み２００μｍ程度のシート状成形体である。該シート状成形体１０の各膨らみ収納部２０の内側の凹部３０に外周が円形の錠剤４を入れた状態で、凹部３０の開口部５０を閉蓋するようにシート状成形体１０裏面全体に亘って合成樹脂の積層フィルム６がヒートシールにより装着されている。
【００１６】
前記積層フィルム６は厚み８μｍ程度の透明蒸着ポリエチレンテレフタレートフィルム層６ａと、このフィルム層６ａにドライラミネートにより剥離強度２．０Ｎ／ｃｍ以上の大きな接合力で接合された厚み１０μｍ程度の透明なエチレン酢酸ビニル共重合体樹脂とオレフィン樹脂とのブレンド材料からなるフィルム層６ｂとからなる。
該フィルム層６ｂが前記シート状成形体１０の裏面側に向くように積層フィルム６をシート状成形体１０に重ねてヒートシール面が界面剥離可能にヒートシールにより装着されている。
【００１７】
詳しくは、フィルム層６ｂとシート状成形体１０とはヒートシール強度１．０Ｎ／ｃｍ〜１３．０Ｎ／ｃｍ程度の小さな接合力で接合されている。なお、積層フィルム６に透明蒸着ポリエチレンテレフタレートフィルム層６ａを備えるのは凹部３０の内部への湿気の浸入防止効果やガスバリヤー効果を得るためである。
シート状成形体１０についてはポリプロピレンを材料として作られていて厚みが大きいため、凹部３０の内部への湿気の浸入防止効果を発揮する。なお、該シート状成形体１０にガスバリヤー性を必要とする場合には、ガスバリヤー効果のある材料からなるフィルム層を設けてよいことは自明である。
【００１８】
上記構成の包装体の凹部３０より錠剤４を取り出すには、図２に示すごとくシート状成形体１０の表面側の膨らみ収納部２０頂部に真上な方向から指圧する。または四角錐面２１を倒すよう指圧する。前記指圧により膨らみ収納部の開口縁部７０を支点とした曲げモーメントが頂部または側壁に作用する。凹部３０内の錠剤４は膨らみ収納部２０を介して積層フィルム６側に押し付けられ、その力によってシート状成形体１０の開口部５０を覆う積層フィルム６が開口縁部７０にほぼ沿って破断し、剥離する。その結果、開口部５０が開いて凹部３０より錠剤４を取り出すことができる。
【００１９】
なお、上記実施例において開口した底面を矩形に代え、開口した円形としてよいことは自明である。また、頂部２３を平面に代え、球面の一部とししてよいことも同様である。
【産業上の利用可能性】
【００２０】
本考案のプレススルーパッケージは錠剤、カプセル剤などの薬剤に利用される他に、顆粒や液状の薬剤を収納する場合にも利用できる。
【図面の簡単な説明】
【００２１】
【図１】本考案の一実施例におけるプレススルーパッケージの平面図
【図２】図１を切断線Ｓ1〜Ｓ1で切断した要部拡大断面図
【図３】従来のプレススルーパッケージの平面図
【図４】図３を切断線Ｓ２〜Ｓ２で切断した要部拡大断面図
【符号の説明】
【００２２】
４  錠剤
６  蓋材
６ａ、６ｂ  フィルム層
１０  シート状成形体(本体)
２０  膨らみ収納部
２１  角錐面
２３  頂部
３０  凹部
５０  開口部
６０  切り込み(ハーフカット)
７０  開口縁部
１００  プレススルーパッケージ
【図１】
0003153313.tif 000003
【図２】
0003153313.tif 000004
【図３】
0003153313.tif 000005
【図４】
0003153313.tif 000006
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
錠剤を収納する膨らみ収納部を所定間隔に複数備えた本体と,前記膨らみ収納部を封止する蓋材とからなり、前記蓋材を破壊して前記錠剤を取り出す形式のパッケージであって、前記膨らみ収納部を底面が開口した角錐台状としたことを特徴とする錠剤用プレススルーパッケージ。
【請求項２】
開口した底面を矩形に代え、開口した円形としたことを特徴とする請求項1記載の錠剤用プレススルーパッケージ。
【請求項３】
膨らみ収納部の頂部を平面に代え、球面の一部としたことを特徴とする請求項1〜２のいずれか１項に記載の錠剤用プレススルーパッケージ。